(57)【特許請求の範囲】
【請求項１】
一定の間隙をおいて相対する建築物の躯体間に前記間隙を覆うシ−ト及びカバ−材を伸縮可能に取り付けたエキスパンションジョイントにおいて、前記シ−トが放射線の透過を防ぐ柔軟な遮蔽シートで構成され、この遮蔽シ−トが鉛材を含有して形成された合成樹脂製シ−トであって、この合成樹脂製シ−トの両面或は一方の面にパラフィンを塗布したものであることを特徴とするエキスパンションジョイント。
【請求項２】
前記遮蔽シートが、両面或は一方の面にパラフィンを塗布した前記合成樹脂製シ−トに代え、鉛材とパラフィンとを含有して形成された合成樹脂製シ−トである、請求項１記載のエキスパンションジョイント。
【請求項３】
前記遮蔽シートが２重に配設された、請求項１又は２に記載のエキスパンションジョイント。
【請求項４】
一定の間隙をおいて相対する建築物の躯体間に前記間隙を覆うシ−ト及びカバ−材を伸縮可能に取り付けたエキスパンションジョイントにおいて、前記シ−トが放射線の透過を防ぐ柔軟な遮蔽シ−トと、音響の透過を防ぐ柔軟な遮音シートとで形成され、前記遮蔽シートが鉛材を含有して形成された合成樹脂製シ−トであり、前記遮音シートは物性が密度１１．２〜１１．３４（ｔ／ｍ3）の鉛材であって、シ−ト厚さ０．５〜３ミリに形成されたものであることを特徴とするエキスパンションジョイント。
【発明の詳細な説明】
【０００１】
【発明の属する技術分野】
本発明は一定の間隙をおいて相対する建築物のコンクリ−ト躯体間の間隙を覆うようにしてシ−ト及びカバ−材を取り付けたエキスパンションジョイントに関する。
【０００２】
【従来の技術】
一般に、この種のエキスパンションジョイントには、例えば特開平３−２０８９３１号公報の第３図に示されるように、相対向する建築物躯体１間の間隙ｃの上下部に気密シ−ト２を取り付け、この気密シ−ト２間に耐火帯１６を介在させ、さらに下部の気密シ−ト２を覆うように支持部材を介してカバ−部材７を取り付けた構成ものが知られている。
【０００３】
【発明が解決しようとする課題】
然し乍ら、従来のエキスパンションジョイントにあっては気密シ−ト２が塩化ビニ−ル等の合成樹脂によって形成され、また、耐火帯１６はセラミックファイバや膨張性耐火帯と称される薄板で形成されているために、放射線透過を防護・遮蔽することは確実に不可能であるとともに、防音・遮音に対してもあまり良い結果を得ることができない等の問題点があった。
【０００４】
本発明は上記問題点を解決し、特に、建築物躯体間の間隙から放射線や騒音等が侵入するのを阻止し、身体に及ぼす影響を防ぐことのできるエキスパンションジョイントを提案することをその課題とする。
【０００５】
【課題を解決するための手段】
前記課題を解決するための手段として、請求項１に係る発明は、一定の間隙をおいて相対する建築物の躯体間に前記間隙を覆うシ−ト及びカバ−材を伸縮可能に取り付けたエキスパンションジョイントにおいて、前記シ−トが放射線の透過を防ぐ柔軟な遮蔽シートで構成され、この遮蔽シ−トが鉛材を含有して形成された合成樹脂製シ−トであって、この合成樹脂製シ−トの両面或は一方の面にパラフィンを塗布したものであることを特徴とする。
【０００６】
請求項２に係る発明は、前記遮蔽シートが、両面或は一方の面にパラフィンを塗布した前記合成樹脂製シ−トに代え、鉛材とパラフィンとを含有して形成された合成樹脂製シ−トであることを特徴とする。
【０００７】
請求項３に係る発明は、前記遮蔽シートが２重に配設されたことを特徴とする。
【０００８】
請求項４に係る発明は、一定の間隙をおいて相対する建築物の躯体間に前記間隙を覆うシ−ト及びカバ−材を伸縮可能に取り付けたエキスパンションジョイントにおいて、前記シ−トが放射線の透過を防ぐ柔軟な遮蔽シ−トと、音響の透過を防ぐ柔軟な遮音シートとで形成され、前記遮蔽シートが鉛材を含有して形成された合成樹脂製シ−トであり、前記遮音シートは物性が密度１１．２〜１１．３４（ｔ／ｍ3）の鉛材であって、シ−ト厚さ０．５〜３ミリに形成されたものであることを特徴とする。
【０００９】
【発明の実施の形態】
以下、図面によって本発明の実施の形態について説明する。
【００１０】
図１において、符号１、１は建築物のコンクリ−ト躯体を示し、このコンクリ−ト躯体１、１は、例えば壁と壁、天井と床等のように互いに対向し、その間の一定の間隙ＳにはエキスパンションジョイントＡが配設されている。このエキスパンションジョイントＡは、例えばコンクリ−ト等の芯壁で形成された躯体１，１間の対向端部１ａ、１ａの内外の表面部の長手方向に沿って固定される支持部材２、２及び３、３上に設けられている。
【００１１】
支持部材２、２及び３、３は長尺材によって形成されており、一方の支持部材２、２はボルト等の止着手段によって端面側の外側の表面部に固定されるとともに、カバ−材用ホルダ−嵌着溝４、４及び気密材嵌着溝５、５が一体に形成されている。また、他方の支持部材３、３はボルト等の止着手段によって端面側の内側の表面部に固定されている。そして、この支持部材３、３の両端はコ字状に折り曲げられている。
【００１２】
次に、支持部材２、２及び３、３にカバ−材７、８が配設され、躯体１、１間の間隙Ｓをその内外から覆っている。まず、外側のカバ−材７は長尺のアルミ材やステンレス材の分割状のカバ−材７ａ、７ｂ、７ｃから成り、このステンレス材等の分割状のカバ−材７ａ、７ｃの外側折曲片１０付近の上部を支持部材２、２にビス１１をもって固定することにより取着されている。また、分割カバ−材７ｂはその両端付近をカバ−材７の下方に配設したカバ−材用ホルダ−１２を形成する長尺の中央側の分割カバ−材７ｂにビス１３をもって固定することにより取着されている。
【００１３】
長尺の各分割ホルダ−１２ａ、１２ｂは前記ホルダ−１２と伸縮可能で連結する連結部材１５によって支持されており、この各ホルダ−１２ａ、１２ｂの外側折曲片１６は支持部材２、２に形成されているカバ−材用ホルダ−嵌着溝４，４に挿嵌されている。また、躯体の面と支持部材２、２の回動用支持支持部材とに形成した気密材嵌着溝５と分割カバ−材の気密材用溝５とカバ−材７を成すカバ−材７ａ、７ｃの外側折曲片１０の外側とのコンクリ−ト躯体１、１の外側の表面部には気密材１７が取付けられている。なお、気密材には鉛含有のものを用いるとよい。
【００１４】
カバ−材７の下方には合成樹脂、合成ゴムシ−ト、またはパラフィン用シ−ト等から成る止水板２０及びアルファ−線・ベ−タ線・ガンマ線・エックス線・中性子線の放射線（以下単に放射線と言う）の透過を防ぐ柔軟で伸縮可能な遮蔽シ−ト２１がそれぞれ配設されるとともに、この止水板２０と遮蔽シ−ト２１との両端は支持部材２、２の底面に係合され、この支持部材２、２をコンクリ−ト等の躯体１、１の表面部にボルト等の止着手段によって配設するのと同時に固定される。なお、遮蔽シ−ト２１は鉛材または鉛材を含有して形成された合成樹脂製シ−トでその両面或は一方の面にパラフィンを塗布して形成されているが、これに限らず、例えば鉛材とパラフィンとを含有して形成された合成樹脂製シ−トであってもよく、また、鉛入り不織布或いは鉛入り布、合成樹脂、金属製等の種々な網状部材によって形成されたものであってもよい。さらに、遮蔽シ−ト２１はその物性が密度１１．２〜１１．３４（ｔ／ｍ3）の鉛材であって、シ−ト厚さ０．５〜３ミリに形成されたものを用いる。なお、遮蔽シ−トはそれらが用いられる適意な精度によりシ−トの厚さを１ミリ程度にしたものを厚さを種々選定する。
【００１５】
次に、内側のカバ−材８は長尺のアルミ材やステンレス材から成り、この内カバ−材８の両端部の折曲片２３付近を端カバ−８ａ、８ａと支持部材３、３にビス２４をもって固定し、中央カバ−材８を摺動、挟持するように支持することにより取着されている。
【００１６】
上述のようにエキスパンションジョイントＡによれば、コンクリ−ト等の躯体１、１間の間隙Ｓに支持部材２、２及び３、３を介して取着されているので、振動等のためにこの躯体１、１の端部に変形を生じてもその機能が損なわれるようなことがない。また、前記躯体１、１間の間隙Ｓにはその長手方向に沿って放射線遮蔽シ−ト２１が配設されるとともに、この放射線遮蔽シ−ト２１は鉛材または鉛材を含有して形成された合成樹脂製シ−トでその両面或は一方の面にパラフィンを含有または塗布して形成された柔軟なものであるから、躯体間隙Ｓへの取着が容易、確実に行えるとともに、この躯体１、１間が相対的に変位しても充分に対応できる。さらに、躯体間隙Ｓから放射線が侵入するのを阻止し、身体に及ぼす影響を防ぐことができる。もちろん、遮音シ−トとして用いられる場合も、放射線の透過を防ぐ遮蔽シ−ト２１と同様に配置する。
【００１７】
次に、図２はエキスパンションジョイントＡの他の実施の形態を示し、この他の実施の形態においては、コンクリ−ト等の躯体１、１間の間隙Ｓに支持部材２、２及び３、３を介して取着されるエキスパンションジョイントＡの構成が、カバ−材７とこのカバ−材７の下方には合成樹脂、合成ゴム等から成る止水板２０及び放射線の透過を防ぐ柔軟で伸縮可能な二重の遮蔽シ−ト２１、２１を配設したものである。そして、この止水板２０と二重の放射線遮蔽シ−ト２１、２２との両端は支持部材２、２の底面に係合され、この支持部材２、２をコンクリ−ト躯体１、１の外側の表面部にボルト等の止着手段によって固定するのと同時に固定される。また、内側カバ−材８は長尺の分割カバ−材８ａ、８ｂ、８ｃから成り、この分割カバ−材８ａ、８ｃの外側折曲片２３付近を支持部材３、３にビス２４をもって固定することにより取着されている。さらに、この分割カバ−材８ｂはその両端付近が支持部材３、３と分割カバ−材８ａ、８ｃとによって挟持されている。
【００１８】
上記構成によれば、躯体１、１間の間隙Ｓにはその長手方向に沿って二重に遮蔽等のシ−ト２１、２２が配設されるとともに、この遮蔽等のシ−ト２１、２２は鉛材を含有して形成された合成樹脂製シ−トでその両面或は一方の面にパラフィンを塗布して形成されたものであるから、コンクリ−ト躯体間隙Ｓから放射線の侵入を二重に遮ることができてより一層確実に阻止しすることができ、身体に及ぼす影響を防ぐことのできる。
【００１９】
次に、図３はエキスパンションジョイントＡのさらに他の実施の形態を示し、この他の実施の形態においては、コンクリ−ト躯体１、１間の間隙Ｓに支持部材２、２を介して取着されるエキスパンションジョイントＡの構成が、カバ−材７とこのカバ−材７の下方には放射線の透過を防ぐ柔軟な遮蔽シ−ト２１と耐火帯２５と音響の透過を防ぐ柔軟な遮音シ−ト２６と伸縮可能なカバ−を所定の空間をもってそれぞれ配設したものである。そして、この遮蔽シ−ト２１と耐火帯２５と遮音シ−ト２６との両端は支持部材２、２の底面に係合され、この支持部材２、２をコンクリ−ト躯体１、１の外側の表面部にボルト等の止着手段によって固定するのと同時に固定される。なお、遮蔽シ−ト２１は鉛材を含有してなる合成樹脂製シ−トで形成され、また、耐火帯２５はセラミックファイバ−又は膨張性耐火帯と称する耐火板で形成され、この耐火板にパラフィンを塗布または含有してシ−トで形成されている。さらに、遮音シ−ト２６は鉛材を含有してなる合成樹脂製シ−トで形成されている。
【００２０】
上記構成によれば、躯体１、１間の間隙Ｓにはその長手方向に沿って放射線の透過を防ぐ柔軟な遮蔽シ−ト２１と耐火帯２５と音響の透過を防ぐ柔軟な遮音シ−ト２６とが所定の空間をもってカバ−を伸縮可能にそれぞれ配設されたものであるから、コンクリ−ト躯体間隙Ｓから放射線が侵入するのを阻止しすることができ、身体に及ぼす影響を防止することのできるのと相俟って、煙、火炎等の侵入を防ぐことができるのに加え、騒音を遮音することができる。なお、遮音シ−ト２６はその物性が密度１１．２〜１１．３４（ｔ／ｍ3）の鉛材であって、シ−ト厚さ０．５〜３ミリに形成されたものを用いる、なお、０、１〜１、０ミリ厚さのシ−トを単独または複層して厚みを調整するのが好ましい。また、この遮音シ−トはコンクリ−ト躯体の厚さが１５０ミリの時における遮音性能での音響透過損失の基準値が、躯体の間隙が２００ミリ程度で前記基準値の最大１０デシベル以内、好ましくは最大５デシベル以内、躯体の間隙が５００ミリ程度で前記基準値の最大２０最大デシベル以内、好ましくは１５デシベル以内に納まるように形成するのが好ましい。
【００２１】
【発明の効果】
請求項１の発明によれば、シ−トが放射線の透過を防ぐ柔軟な遮蔽シ−トと伸縮可能なカバ−とで形成されているので、躯体の変位に対し充分に対応することができるとともに、放射線の透過を防ぐことができる。
【００２２】
また、遮蔽シ−トが鉛材を含有して形成された合成樹脂製シ−トであって、この合成樹脂製シ−トの両面或は一方の面にパラフィンを塗布、或は含有またはパラフィン含有のシ−トのものであるから、各種放射線の中での中性子線の放射線の透過をより一層確実に防ぐことができる。なお、遮蔽シート自体は建築物の躯体間に配設されているから、同時に防音効果も得ることができる。
【００２３】
請求項２に係る発明によれば、一層で放射線の透過を有効に防止することができる。
【００２４】
請求項３に係る発明によれば、遮蔽シートが２重に配置されているので、放射線の透過をさらに確実に防止することができる。
【００２５】
請求項４に係る発明によれば、放射線の透過と防音とを有効に確保することができる。
【図面の簡単な説明】
【図１】  本発明に係るエキスパンションジョイントの断面図
【図２】  エキスパンションジョイントの他の実施の形態の断面図
【図３】  エキスパンションジョイントの他の実施の形態の断面図
【符号の説明】
Ａ  エキスパンションジョイント
１  躯体
７、８  カバ−材
２１  遮蔽シ−ト
【図１】
0003655524.tif 000002
【図２】
0003655524.tif 000003
【図３】
0003655524.tif 000004